(57)【要約】【課題】  元竿の後端構造においてシリゴムの捲れ上がり等の不具合を是正できるものを提供する。【解決手段】  シリゴム３を接着固定した合成樹脂製の尻リング２を元竿１の後端に接着固定するとともに、シリゴム３と尻リング２との接続部位を金属リング４で被ってある。【選択図】        図３
2006000032.tif 000002
【特許請求の範囲】
【請求項１】
シリゴムを接着固定した合成樹脂製の尻リングを元竿の竿尻端に接着固定するとともに、前記シリゴムと前記尻リングとの接続部位を金属リングで被ってある釣り竿の尻部構造。
【請求項２】
前記金属リングが尻リングと元竿尻端との接続部位をも覆っている請求項１記載の釣り竿の尻部構造。
【請求項３】
前記シリゴムを、前記金属リングで覆われる小径部と金属リングの竿尻側に配置された大径部とで構成し、前記大径部の外径より前記金属リングの外径を大径に形成してある請求項１又は２記載の釣り竿の尻部構造。
【発明の詳細な説明】
【技術分野】
【０００１】
本発明は、元竿の竿尻開口に尻リングを備えている釣り竿の尻部構造に関する。
【背景技術】
【０００２】
元竿の竿尻開口には、尻栓が装着してある。この尻栓は、元竿の竿尻に装着されている金属製の尻リングにネジ込み固定されていた（特許文献１参照）。
【０００３】
【特許文献１】特開平９−２９８９８５号公報（段落番号〔００１３〕、図１）
【発明の開示】
【発明が解決しようとする課題】
【０００４】
上記したように、尻リングに尻栓をネジ込み固定する構成では、ネジを尻リングに形成するために、尻リングの材質が金属等の硬質材料に成らざるを得ない。そうすると、尻リングの部分を握った場合に掌がその硬質材料で圧迫されるために、長く持つことに苦痛を伴うことになり、握り易いものへの改善要請がある。
この点を受けて、本出願人においては、図２示にすように、合成樹脂製の尻リング２の後端にシリゴム３を接着固定して一体とし、その尻リング２を元竿１の竿尻開口に接着固定していた。
【０００５】
上記した構成の導入により、シリゴムの導入によって軽量化を図れるとともに、握った状態で手の掌等が圧迫されることが少なく、所期の目的は略達成された感があった。
しかし、尻リングとシリゴムとの接着部位が、釣り人の手によって握り込まれる度に強い圧迫力を受けることになるとともに、尻リングとシリゴムとの硬度の違いがあることにより、接着部位に剥離を生じ、シリゴムの接着部が捲れ上がる等の不具合が発生していた。
【０００６】
本発明の目的は、元竿の後端構造においてシリゴムの捲れ上がり等の不具合を是正できるものを提供する点にある。
【課題を解決するための手段】
【０００７】
〔構成〕
請求項１に係る発明の特徴構成は、シリゴムを接着固定した合成樹脂製の尻リングを元竿の竿尻端に接着固定するとともに、前記シリゴムと前記尻リングとの接続部位を金属リングで被ってある点にあり、その作用効果は次の通りである。
【０００８】
〔作用〕
金属リングでシリゴムと尻リングとの接続部位を被覆しているので、シリゴム接続部位を手で直接握り込むことがなく、シリゴム接続部位の捲れ上がりが抑制できる。
【０００９】
〔効果〕
従って、シリゴムの端部が捲れ上がることがないので、元竿の竿尻部分に対する修復作業を抑制できる。尻リングとシリゴムとの接合部位が表出しないので、美観上も良好である。
【００１０】
請求項２に係る発明の特徴構成は、請求項１に係る発明において、前記金属リングが尻リングと元竿尻端との接続部位をも覆っている点にあり、その作用効果は次の通りである。
【００１１】
〔作用効果〕
つまり、金属リングで元竿尻、尻リング、シリゴムの３者の接続部位を覆うので、その接続状態を安定したものにでき、握った状態での感触を一定したものにできる。
【００１２】
請求項３に係る発明の特徴構成は、請求項１又は２に係る発明において、前記シリゴムを、前記金属リングで覆われる小径部と金属リングの竿尻側に配置された大径部とで構成し、前記大径部の外径より前記金属リングの外径を大径に形成してある点にあり、その作用効果は次の通りである。
【００１３】
〔作用効果〕
つまり、金属リングとシリゴムの接点位置で金属リングがシリゴムより外側に突出する状態となるので、釣り人の手指がシリゴムの端部に引っ掛かることがなく、その端部が捲れ上がることはすくない。このような作用を達成するのに、金属リングをシリゴムの外周面より外側に突出させるだけの簡易なものでよい。
【発明を実施するための最良の形態】
【００１４】
元竿尻部Ａの構造について説明する。図１〜図３に示すように、元竿尻部Ａは、元竿１の竿尻端に装着される尻リング２と、尻リング２の竿尻側に装着されるシリゴム３、それらを覆う状態で装着される金属リング４と、尻リング２に螺合される栓部材５とから構成されている。この栓部材５を取り外すことによって、元竿１内に進入した水やゴミ等を排出する際に利用される。
【００１５】
元竿１と金属リング４との取り付け構造について説明する。図１及び図３に示すように、元竿１は、カーボン等の強化繊維に熱硬化性の樹脂を含浸させて形成したプリプレグを巻回して形成したものであり、竿尻側端面に係合用の段差部１Ａを形成してある。一方、金属リング４はステンレス製の金属材からできており、外周面に二つのリング溝４ａを形成してあり、金属リング４の表面やその金属リング部分を握る手に水分が付着していてもこのリング溝４ａを通して逃がすことができるとともに、滑り止め機能を発揮させている。
上記のような構成になる金属リング４を元竿１の段差部１Ａに嵌め込んで接着固定する。このように結合させたものを第１結合体Ｂとする。
【００１６】
尻リング２とシリゴム３との組み付け構成について説明する。図２に示すように、尻リング２は、合成樹脂製の円筒部材であり、竿尻側に大径部２Ａと係合凹入部２Ｂと後端小径部２Ｃとを備え、内部に栓部材５を螺着するねじ部２Ｅが形成されている。
シリゴム３はネオプレンゴム製の円筒状部材であり、外周面の竿先側に金具装着用の段差部３Ａを形成するとともに、内面側に係合用の凹入溝３Ｂが形成してあり、凹入溝３Ｂの竿先側に鍔部３Ｃが残されている。
上記のような構成になるシリゴム３の鍔部３Ｃを、尻リング２の後端に形成されている小径部２Ｃに弾性変形させて押し込むと、鍔部３Ｃが係合凹入部２Ｂ内に入り込むと同時に、尻リング２の小径部２Ｃがシリゴム３の凹入溝３Ｂ内に入り込み、シリゴム３を尻リング２に係合結合させることができる。このように結合させたものを第２結合体Ｃとする。
【００１７】
次に、第１結合体Ｂと第２係合体Ｃとを結合させて、元竿尻部Ａを構成する。図３に示すように、尻リング２の前端側円筒面２Ｄを元竿１の内面に挿入して、小径部２Ｃが元竿１の竿尻端面に接当する位置まで尻リング２を挿入する。小径部２Ｃが元竿１の竿尻端面に接当する位置まで挿入した状態でシリゴム３の段差部３Ａが金属リング４の内周面に嵌合されて、第１結合体Ｂと第２結合体Ｃとが結合されて元竿尻部構造が形成される。
ここまでの説明では、明確に記載されてはいないが、各接合面では必要な接着剤を利用して結合されているものとする。
【００１８】
図３（ロ）に示すように、金属リング４の外径は元竿１の外径より、また、シリゴム３の外径より大径であるので、第１結合体Ｂと第２係合体Ｃとを結合させた状態では、金属リング４の外周面がやや突出している。これによって、シリゴム３の端部が引掛けられて捲くり上がるようなことが少なくなる。
【００１９】
〔別実施の形態〕
（１）  元竿尻部Ａを組み立てるについては、必ずしも、第１結合体Ｂと第２結合体Ｃとを予め形成して、両者Ｂ，Ｃを組みつける構成を採る必要はなく、金属リング４を第２結合体Ｃに予め組み付けて、その組み付けたものを元竿１に取り付ける構成を採ってもよい。
（２）  金属リング４としては、アルミニュウム材の表面にクロム鍍金等を施したものを使用してもよい。
（３）  尻リング２としては、元竿１と同様に、カーボン等の強化繊維に熱硬化性の樹脂を含浸させて形成したプリプレグを巻回して形成したものでもよいが、強化繊維を含浸させない樹脂で成型したものであってもよい。
【図面の簡単な説明】
【００２０】
【図１】（イ）  元竿と金属リングとを組み合わせる前の状態を示す一部切り欠き縦断面図  （ロ）  元竿と金属リングとを組み合わせて第１結合体を形成した状態を示す一部切り欠き縦断面図
【図２】（イ）  尻リングとシリゴムとを組み合わせる前の状態を示す一部切り欠き縦断面図  （ロ）  尻リングとシリゴムとを組み合わせて第２結合体を形成した状態を示す一部切り欠き縦断面図
【図３】（イ）  第１結合体と第２結合体とを組み合わせる前の状態を示す一部切り欠き縦断面図  （ロ）  第１結合体と第２結合体とを組み合わせた状態を示す一部切り欠き縦断面図
【図４】金属リングと尻リングとシリゴムとを示す斜視図
【符号の説明】
【００２１】
１            元竿
２            尻リング
３            シリゴム
４            金属リング
【図１】
2006000032.tif 000003
【図２】
2006000032.tif 000004
【図３】
2006000032.tif 000005
【図４】
2006000032.tif 000006